【手続補正書】
【提出日】平成23年6月8日(2011.6.8)
【手続補正１】
【補正対象書類名】特許請求の範囲
【補正対象項目名】全文
【補正方法】変更
【補正の内容】
【特許請求の範囲】
【請求項１】
（Ａ）顔料分散剤と、（Ｂ）顔料と、（Ｆ）溶媒とを有するカラーフィルタ用顔料分散液であって、前記（Ａ）顔料分散剤が、下記一般式（Ｉ）で表される窒素含有モノマーと、ポリマー鎖及びその末端にエチレン性不飽和二重結合を有する基からなる重合性オリゴマーとを共重合成分として含有するグラフト共重合体であり、さらに前記窒素含有モノマーが有するアミノ基と下記一般式（ＩＩ）及び／又は下記一般式（ＩＩＩ）で表される有機酸化合物とが塩を形成したグラフト共重合体であり、前記（Ｂ）顔料が、下記一般式（ＩＶ）で表されるポリ臭素化亜鉛フタロシアニンを含むことを特徴とするカラーフィルタ用顔料分散液。
【化１】
2010085647.tif 000001
【化２】
2010085647.tif 000002
【化３】
2010085647.tif 000003
［式（Ｉ）〜（ＩＩＩ）中、Ｒ１は水素原子又はメチル基、Ｒ２及びＲ２'は、それぞれ独立に水素原子又は炭素数１〜８のアルキル基、Ａは、それぞれ独立に炭素数１〜８のアルキレン基、−［ＣＨ（Ｒ６）−ＣＨ（Ｒ７）−Ｏ］ｘ−ＣＨ（Ｒ６）−ＣＨ（Ｒ７）−又は−［（ＣＨ２）ｙ−Ｏ］ｚ−（ＣＨ２）ｙ−で示される２価の基である。
Ｒ３及びＲ３'は、それぞれ独立に水素原子、水酸基、炭素数１〜１８のアルキル基、炭素数２〜１８のアルケニル基、ベンジル基、フェニル基、ビフェニル基、−［ＣＨ（Ｒ９）−ＣＨ（Ｒ１０）−Ｏ］ａ−Ｒ８、−［（ＣＨ２）ｂ−Ｏ］ｃ−Ｒ８、又は−Ｏ−Ｒ３''で示される１価の基であり、Ｒ３及びＲ３'のいずれかは炭素原子を含む。Ｒ３''は、炭素数１〜１８のアルキル基、炭素数２〜１８のアルケニル基、ベンジル基、フェニル基、ビフェニル基、−［ＣＨ（Ｒ９）−ＣＨ（Ｒ１０）−Ｏ］ａ−Ｒ８、又は−［（ＣＨ２）ｂ−Ｏ］ｃ−Ｒ８で示される１価の基である。
Ｒ４は、炭素数１〜１８のアルキル基、炭素数２〜１８のアルケニル基、ベンジル基、フェニル基、ビフェニル基、−［ＣＨ（Ｒ９）−ＣＨ（Ｒ１０）−Ｏ］ａ−Ｒ８、−［（ＣＨ２）ｂ−Ｏ］ｃ−Ｒ８、又は−Ｏ−Ｒ４'で示される１価の基である。Ｒ４'は、炭素数１〜１８のアルキル基、炭素数２〜１８のアルケニル基、ベンジル基、フェニル基、ビフェニル基、−［ＣＨ（Ｒ９）−ＣＨ（Ｒ１０）−Ｏ］ａ−Ｒ８、又は−［（ＣＨ２）ｂ−Ｏ］ｃ−Ｒ８で示される１価の基である。
Ｒ６、Ｒ７、Ｒ９及びＲ１０は、それぞれ独立に水素原子又はメチル基であり、Ｒ８は、水素原子、あるいは炭素数１〜１８のアルキル基、炭素数２〜１８のアルケニル基、ベンジル基、フェニル基、ビフェニル基、−ＣＨＯ、−ＣＨ２ＣＨＯ、−ＣＯ−ＣＨ＝ＣＨ２、−ＣＯ−Ｃ（ＣＨ３）＝ＣＨ２又は−ＣＨ２ＣＯＯＲ１２で示される１価の基であり、Ｒ１２は水素原子又は炭素数１〜５のアルキル基である。
ｘ及びａは１〜１８の整数、ｙ及びｂは１〜５の整数、ｚ及びｃは１〜１８の整数を示す。
式（ＩＶ）中、Ｘ１〜Ｘ１６は、それぞれ独立に塩素原子、臭素原子または水素原子である。ただし、全てのＸのうち少なくとも８つは、臭素である。］
【請求項２】
前記重合性オリゴマーのポリマー鎖が、ガラス転移温度が３０℃以上である請求項１に記載のカラーフィルタ用顔料分散液。
【請求項３】
前記重合性オリゴマーの前記ポリマー鎖が、下記一般式（Ｖ）又は一般式（ＶＩ）で表される構成単位を少なくとも１種有するものである請求項１又は２に記載のカラーフィルタ用顔料分散液。
【化４】
2010085647.tif 000004
［式（Ｖ）及び（ＶＩ）中、Ｒ１'は水素原子又はメチル基であり、Ｒ５は炭素数１〜１８のアルキル基、ベンジル基、フェニル基、ビフェニル基、シアノ基、−［ＣＨ（Ｒ６）−ＣＨ（Ｒ７）−Ｏ］ｘ−Ｒ１１、−［（ＣＨ２）ｙ−Ｏ］ｚ−Ｒ１１、−［ＣＯ−（ＣＨ２）ｙ−Ｏ］ｚ−Ｒ１１、−ＣＯ−Ｏ−Ｒ５'又は−Ｏ−ＣＯ−Ｒ１３で示される１価の基である。
Ｒ５'は、炭素数１〜１８のアルキル基、ベンジル基、フェニル基、ビフェニル基、シアノ基、−［ＣＨ（Ｒ６）−ＣＨ（Ｒ７）−Ｏ］ｘ−Ｒ１１、−［（ＣＨ２）ｙ−Ｏ］ｚ−Ｒ１１、又は−［ＣＯ−（ＣＨ２）ｙ−Ｏ］ｚ−Ｒ１１で示される１価の基である。
Ｒ１１は、水素原子、あるいは炭素数１〜１８のアルキル基、ベンジル基、フェニル基、ビフェニル基、−ＣＨＯ、−ＣＨ２ＣＨＯ又は−ＣＨ２ＣＯＯＲ１２で示される１価の基であり、Ｒ１２は水素原子又は炭素数１〜５のアルキル基であり、Ｒ１３は、炭素数１〜１８のアルキル基を示す。
ｌは１〜５の整数、ｍ及びｍ’は５〜２００の整数を示す。Ｒ６、Ｒ７、ｘ、ｙ、ｚは、上記と同じである。］
【請求項４】
前記重合性オリゴマーの前記エチレン性不飽和二重結合を有する基が、（メタ）アクリロイル基、ビニル基、又はアリル基である請求項１〜３のいずれかに記載のカラーフィルタ用顔料分散液。
【請求項５】
前記一般式（ＩＩ）におけるＲ３及び／又はＲ３'、並びに／或いは、前記一般式（ＩＩＩ）におけるＲ４が、重合性基を有するものである請求項１〜４のいずれかに記載のカラーフィルタ用顔料分散液。
【請求項６】
前記重合性基が、（メタ）アクリロイル基、ビニル基、又はアリル基である請求項５に記載のカラーフィルタ用顔料分散液。
【請求項７】
（Ｂ）顔料の平均粒径が、１０〜１００ｎｍである請求項１〜６のいずれかに記載のカラーフィルタ用顔料分散液。
【請求項８】
前記（Ｂ）顔料が、更に黄色顔料を含有する請求項１〜７のいずれかに記載のカラーフィルタ用顔料分散液。
【請求項９】
上記一般式（Ｉ）で表される窒素含有モノマーと、ポリマー鎖及びその末端にエチレン性不飽和二重結合を有する基からなる重合性オリゴマーとを共重合成分として含有するグラフト共重合体であり、さらに前記窒素含有モノマーが有するアミノ基と上記一般式（ＩＩ）及び／又は上記一般式（ＩＩＩ）で表される有機酸化合物とが塩を形成したグラフト共重合体を、（Ａ）顔料分散剤として準備する工程と、
前記準備した（Ａ）顔料分散剤と、（Ｂ）顔料と、（Ｆ）溶媒とを混合し、顔料を分散する工程とを有し、
前記（Ｂ）顔料が、上記一般式（ＩＶ）で表されるポリ臭素化亜鉛フタロシアニンを含む、カラーフィルタ用顔料分散液の製造方法。
【請求項１０】
請求項２〜８に記載のカラーフィルタ用顔料分散液と、（Ｃ）アルカリ可溶性樹脂と、（Ｄ）多官能性モノマーと、（Ｅ）光開始剤とを有する、カラーフィルタ用ネガ型レジスト組成物。
【請求項１１】
上記一般式（Ｉ）で表される窒素含有モノマーと、ガラス転移温度が３０℃以上であるポリマー鎖及びその末端にエチレン性不飽和二重結合を有する基からなる重合性オリゴマーとを共重合成分として含有するグラフト共重合体であり、さらに前記窒素含有モノマーが有するアミノ基と上記一般式（ＩＩ）及び／又は上記一般式（ＩＩＩ）で表される有機酸化合物とが塩を形成したグラフト共重合体を、（Ａ）顔料分散剤として準備する工程と、
前記準備した（Ａ）顔料分散剤と、（Ｂ）顔料と、（Ｆ）溶媒とを混合し、顔料を分散し、顔料分散液を調製する工程と、
前記調製した顔料分散液と、（Ｃ）アルカリ可溶性樹脂と、（Ｄ）多官能性モノマーと、（Ｅ）光開始剤とを混合する工程とを有し、
前記（Ｂ）顔料が、上記一般式（ＩＶ）で表されるポリ臭素化亜鉛フタロシアニンを含む、カラーフィルタ用ネガ型レジスト組成物の製造方法。
【請求項１２】
請求項１０に記載のカラーフィルタ用ネガ型レジスト組成物を用いて形成されてなる着色層を有することを特徴とするカラーフィルタ。
【請求項１３】
請求項１２に記載のカラーフィルタを有することを特徴とする液晶表示装置。
【手続補正２】
【補正対象書類名】明細書
【補正対象項目名】００７０
【補正方法】変更
【補正の内容】
【００７０】
本発明で用いられるグラフト共重合体における該有機酸化合物の含有量は、良好な分散安定性が発揮されるのであればよく、特に制限はないが、一般に前記一般式（Ｉ）で表される窒素含有モノマー由来の構成単位に含まれるアミノ基に対して、０．１〜４．０モル当量程度であり、好ましくは０．２〜２．０モル当量、より好ましくは０．５〜１．０モル当量である。このような場合、顔料分散性及び顔料分散安定性が優れたものになる。尚、上記有機酸化合物を２種以上併用する場合、これらを合計した含有量が上記範囲内にあればよい。